(57)【要約】【課題】斜影補正機能が設けられたものにおいて、その機能の使い勝手を向上させる。【解決手段】  撮影した被写体画像から、所定の抽出基準に基づき四角形領域の輪郭を抽出し、撮影角度によって異なる前記四角形領域における歪みを補正する補正処理を被写体画像に対して行う斜影補正機能を備えたデジタルカメラにおいて、ハーフシャッタが押された時点のスルー画像から前記輪郭を抽出し、ハーフシャッタが押されている間には、前記輪郭を示す輪郭線Ａと、その検出対象となったスルー画像を半透明化した画像２０２とを、現在のスルー画像２０３に重ねた合成画像２０４を逐次生成し、それをモニタに表示させる。輪郭線Ａにより、選択中の被写体に対する意図する斜影補正が可能か否かを、実際に被写体を記録する以前の段階で撮影者に確認させることができる。【選択図】      図４
2006237757.tif 000002
【特許請求の範囲】
【請求項１】
被写体を撮像する撮像手段と、撮影待機状態で撮像手段により撮像された画像をスルー画像として表示する表示手段とを備えたデジタルカメラ装置であって、
撮影操作に応じて前記撮像手段により撮像された被写体画像から、所定の抽出基準に基づき四角形領域の輪郭を抽出する輪郭抽出手段と、
この輪郭抽出手段により抽出された輪郭に基づき、撮影角度によって異なる前記四角形領域における歪みを補正する補正処理を前記被写体画像に対して行う補正手段と、
この補正手段による補正処理後の画像を記録する画像記録手段と、
前記輪郭抽出手段に、撮影待機状態で前記スルー画像として表示される第１の画像から前記輪郭を抽出させる抽出制御手段と、
前記輪郭抽出手段により前記第１の画像から抽出された輪郭を示す輪郭線を、撮影待機状態で撮像手段により前記第１の画像よりも後に前記スルー画像として表示される第２の画像に重ねる合成処理を行う合成手段と、
この合成手段による合成処理後の第３の画像をスルー画像として前記表示手段に表示させる表示制御手段と
を備えたことを特徴とするデジタルカメラ装置。
【請求項２】
前記合成手段は、前記第１の画像を半透明状態として前記輪郭線と共に前記第２の画像に重ねて合成する合成処理を行うことを特徴とする請求項１記載のデジタルカメラ装置。
【請求項３】
撮影待機状態にあるとき使用者が輪郭線の表示を指示する操作手段を備え、
前記抽出制御手段は、前記操作手段による使用者からの指示に応答して前記輪郭抽出手段に前記輪郭を抽出させる
ことを特徴とする請求項１又は２記載のデジタルカメラ装置。
【請求項４】
前記操作手段は、撮影予告用の第１の操作位置と撮影指示用の第２の操作位置とを有し、
前記抽出制御手段は、前記操作手段が第１の操作位置へ操作された時点で前記輪郭抽出手段に前記輪郭を抽出させ、
前記表示制御手段は、前記操作手段が第１の操作位置へ操作された状態が継続されている間に、前記合成手段による合成処理後の第３の画像をスルー画像として前記表示手段に表示させる
ことを特徴とする請求項１，２又は３記載のデジタルカメラ装置。
【請求項５】
撮影待機状態で撮像した被写体画像をスルー画像として表示するデジタルカメラ装置であって、撮影指示に応答して撮像し記憶した被写体画像から、所定の抽出基準に基づき四角形領域の輪郭を抽出し、抽出した輪郭に基づき、撮影角度によって異なる前記四角形領域における歪みを補正する補正処理を前記被写体画像に対して行う斜影補正機能を備えたデジタルカメラ装置における前記スルー画像の表示方法であって、
所定の時点で表示したスルー画像から、所定の抽出基準に基づき四角形領域の輪郭を抽出する工程と、
前記輪郭を抽出したスルー画像の後に表示するスルー画像に、前記輪郭を示す輪郭線を重ねて表示する工程と
を含むことを特徴とするスルー画像表示方法。
【請求項６】
撮影待機状態で撮像した被写体画像をスルー画像として表示するデジタルカメラ装置であって、撮影指示に応答して撮像し記憶した被写体画像から、所定の抽出基準に基づき四角形領域の輪郭を抽出し、抽出した輪郭に基づき、撮影角度によって異なる前記四角形領域における歪みを補正する補正処理を前記被写体画像に対して行う斜影補正機能を備えたデジタルカメラ装置が有するコンピュータに、
所定の時点で表示したスルー画像から、所定の抽出基準に基づき四角形領域の輪郭を抽出するための処理と、
前記輪郭を抽出したスルー画像の後に表示するスルー画像に、前記輪郭を示す輪郭線を重ねて表示するための処理と
を実行させるためのプログラム。
【発明の詳細な説明】
【技術分野】
【０００１】
本発明は、デジタルカメラ装置、及びスルー画像表示方法に関するものである。
【背景技術】
【０００２】
近年、デジタルカメラは、その性能の向上と蓄積型メモリの低価格化にともない、デジタルカメラを単なる風景や人の撮影だけに用いるのではなく、紙面文書や名刺などの書類、また、会議での筆記された白板（ホワイトボード）などの撮影を行い、これらの画像をＰＣ（パーソナルコンピュータ）などにデジタル的に保存し、管理するビジネスツールとしても用いられている。このように書類や白板の撮影を行う場合には、その対象物を正面にかつ垂直に撮影を行うことが望ましい。
【０００３】
しかし、机上におかれた書類の撮影をまっすぐ上から撮影することは困難であり、また白板の撮影では、撮影場所が白板の斜め方向に位置するなど、それを正面から撮影することが難しい場合もある。また、正面から撮影できる場合であってもライトの映り込みなどの理由で正面からの撮影を避けるのが好ましい場合がある。このように書類などの対象物を斜めから撮影を行った場合、文字などが斜め、または台形に歪む。もちろんこれらの文字の判読は可能であるが、読むには非常に疲れやすいものである。またこれらの画像は歪みをもっているので、この画像を再利用することは難しい。
【０００４】
これに関し、例えば下記特許文献１には、支柱に支持されたカメラによって撮影した原稿等の画像に存在する台形歪みを、カメラにおける支柱に対する撮影光軸の傾き、すなわち原稿等に対する撮影光軸の傾きを検出し、検出した傾きに基づき補正する方法が記載されている。
【特許文献１】特開２００２−３５４３３１号公報（「００１５」、「００１６」段落参照）
【発明の開示】
【発明が解決しようとする課題】
【０００５】
しかし上記の方法は、カメラを所定の場所におかれた原稿台等に固定した状態で用いる場合には有効であるが、手持ちした状態のカメラで対象物を撮影する場合には採用することができない。したがって、カメラ単独で歪みのない画像を取得するには、例えば撮影により記録した撮影画像から、白板などの四角形の対象領域を輪郭検出し、いったん四角形の対象領域を切り出し、その歪みを補正（斜影補正）することによって、正面から撮影した状態と等しい長方形の補正画像を得る斜影補正機能をカメラに設ける必要がある。
【０００６】
ここで、上記斜影補正を行う場合には、撮影画像に対して輪郭検出が正しく行われることが必要となるが、撮影環境の違い等によって撮影画像の状態にはバラツキがあるため、場合によっては、撮影者が意図する領域の輪郭検出がうまく行えず、対象領域の切り出に失敗する可能性がある。そして切り出に失敗した場合、ユーザにおいては対象物を再度撮影することを余儀なくされる。しかし、ユーザが切り出の失敗を知ることができるのは、撮影画像の記録し、補正画像を得た後であるとともに、一般的なデジタルカメラでは、撮影画像の記録にはある程度の時間を要しており、撮影後に切り出しに成功したか否かを直ちに確認することができない。したがって、必ずしも使い勝手が良好であると言えないという問題があった。
【０００７】
本発明は、かかる従来の課題に鑑みてなされたものであり、斜影補正機能が設けられたものにおいて、その機能の使い勝手を向上させることができるデジタルカメラ装置及びスルー画像表示方法と、その実現に使用されるプログラムを提供することを目的とする。
【課題を解決するための手段】
【０００８】
前記課題を解決するため請求項１の発明にあっては、被写体を撮像する撮像手段と、撮影待機状態で撮像手段により撮像された画像をスルー画像として表示する表示手段とを備えたデジタルカメラ装置であって、撮影操作に応じて前記撮像手段により撮像された被写体画像から、所定の抽出基準に基づき四角形領域の輪郭を抽出する輪郭抽出手段と、この輪郭抽出手段により抽出された輪郭に基づき、撮影角度によって異なる前記四角形領域における歪みを補正する補正処理を前記被写体画像に対して行う補正手段と、この補正手段による補正処理後の画像を記録する画像記録手段と、前記輪郭抽出手段に、撮影待機状態で前記スルー画像として表示される第１の画像から前記輪郭を抽出させる抽出制御手段と、前記輪郭抽出手段により前記第１の画像から抽出された輪郭を示す輪郭線を、撮影待機状態で撮像手段により前記第１の画像よりも後に前記スルー画像として表示される第２の画像に重ねる合成処理を行う合成手段と、この合成手段による合成処理後の第３の画像をスルー画像として前記表示手段に表示させる表示制御手段とを備えたものとした。
【０００９】
かかる構成においては、撮影待機状態での任意の時点における被写体を撮像した画像を対象として、四角形領域の輪郭抽出が行われ、抽出された輪郭を示す輪郭線が、その後のスルー画像に重ねて表示される。したがって、スルー画像に重ねて表示した輪郭線により、選択中の被写体に対する意図する斜影補正が可能か否かを、実際に被写体を記録する以前の段階で撮影者に確認させることができる。
【００１０】
また、請求項２の発明にあっては、前記合成手段は、前記第１の画像を半透明状態として前記輪郭線と共に前記第２の画像に重ねて合成する合成処理を行うものとした。
【００１１】
かかる構成においては、撮影者が、輪郭検出したときの画像と現在撮影できる画像の両方を同時に確認することができる。
【００１２】
また、請求項３の発明にあっては、撮影待機状態にあるとき使用者が輪郭線の表示を指示する操作手段を備え、前記抽出制御手段は、前記操作手段による使用者からの指示に応答して前記輪郭抽出手段に前記輪郭を抽出させるものとした。
【００１３】
また、請求項４の発明にあっては、前記操作手段は、撮影予告用の第１の操作位置と撮影指示用の第２の操作位置とを有し、前記抽出制御手段は、前記操作手段が第１の操作位置へ操作された時点で前記輪郭抽出手段に前記輪郭を抽出させ、前記表示制御手段は、前記操作手段が第１の操作位置へ操作された状態が継続されている間に、前記合成手段による合成処理後の第３の画像をスルー画像として前記表示手段に表示させるものとした。
【００１４】
かかる構成においては、撮影対象の構図が確定した段階で、選択中の被写体に対する意図する斜影補正が可能か否かを撮影者に確認させるとともに、その後、撮影者が必要する期間だけ輪郭線の表示状態を維持することができる。
【００１５】
また、請求項５の発明にあっては、撮影待機状態で撮像した被写体画像をスルー画像として表示するデジタルカメラ装置であって、撮影指示に応答して撮像し記憶した被写体画像から、所定の抽出基準に基づき四角形領域の輪郭を抽出し、抽出した輪郭に基づき、撮影角度によって異なる前記四角形領域における歪みを補正する補正処理を前記被写体画像に対して行う斜影補正機能を備えたデジタルカメラ装置における前記スルー画像の表示方法であって、所定の時点で表示したスルー画像から、所定の抽出基準に基づき四角形領域の輪郭を抽出する工程と、前記輪郭を抽出したスルー画像の後に表示するスルー画像に、前記輪郭を示す輪郭線を重ねて表示する工程とを含む方法とした。
【００１６】
かかる方法によれば、スルー画像に重ねて表示した輪郭線により、選択中の被写体に対する意図する斜影補正が可能か否かを、実際に被写体を記録する以前の段階で撮影者に確認させることができる。
【００１７】
また、請求項６の発明にあっては、撮影待機状態で撮像した被写体画像をスルー画像として表示するデジタルカメラ装置であって、撮影指示に応答して撮像し記憶した被写体画像から、所定の抽出基準に基づき四角形領域の輪郭を抽出し、抽出した輪郭に基づき、撮影角度によって異なる前記四角形領域における歪みを補正する補正処理を前記被写体画像に対して行う斜影補正機能を備えたデジタルカメラ装置が有するコンピュータに、所定の時点で表示したスルー画像から、所定の抽出基準に基づき四角形領域の輪郭を抽出するための処理と、前記輪郭を抽出したスルー画像の後に表示するスルー画像に、前記輪郭を示す輪郭線を重ねて表示するための処理とを実行させるためのプログラムとした。
【発明の効果】
【００１８】
以上のように本発明においては、スルー画像に重ねて表示した輪郭線により、選択中の被写体に対する意図する斜影補正が可能か否かを、実際に被写体を記録する以前の段階で撮影者に確認させることができるようにした。よって、斜影補正機能が設けられたものにおいて、その機能の使い勝手を向上させることが可能となる。
【００１９】
また、撮影者が、輪郭検出したときの画像と現在撮影できる画像の両方を同時に確認することができるようにした。よって、輪郭検出したときの画像に現在の画像を合わせることで意図した画像を容易に撮影することができ、より良好な使い勝手を確保することができる。
【００２０】
また、撮影対象の構図が確定した段階で、選択中の被写体に対する意図する斜影補正が可能か否かを撮影者に確認させるとともに、その後、撮影者が必要する期間だけ輪郭線の表示状態を維持することができるようにした。よって、撮影対象の構図が確定するまでのスルー画像が見やすくなるとともに、撮影対象の構図が確定した後には、輪郭線をガイドとして実際に記録する画像の構図を容易に決定することができ、より良好な使い勝手を確保することができる。
【発明を実施するための最良の形態】
【００２１】
以下、本発明の一実施の形態を図にしたがって説明する。図１は、本発明に係るデジタルカメラ１の外観、及び白板５１を撮影しているときの状況を示す図である。デジタルカメラ１は平板状の筐体であるカメラ本体２からなり、主としてカメラ本体２の正面に設けられた撮影レンズ部３と、上面に設けられた撮影ボタン４、背面に設けられた液晶モニタ５とを備えている。撮影ボタン４は所謂ハーフシャッター機能を有したものであり、半押し操作と全押し操作のできる機構、すなわち撮影予告用の第１の操作位置（半押し）と撮影指示用の第２の操作位置（全押し）とを有する本発明における操作手段である。
【００２２】
液晶モニタ５は、例えばバックライト付きのカラー液晶表示パネルで構成され、記録モードでの撮影待機状態においては電子ビューファインダとして機能して被写体のスルー画像を表示す一方、再生モードでは記録されている画像を表示する本発明の表示手段である。また、液晶モニタ５は、必要に応じて各種のメニュー画面や設定画面等も表示する。
【００２３】
図２は上記デジタルカメラ１の回路構成の概略を示すブロック図である。デジタルカメラ１はシステムの全体の制御を行うＣＰＵ１００を中心として構成されており、以下の各部が接続されている。すなわちＣＰＵ１００には、被写体の光学像を集光するためのレンズなどで構成される光学レンズ装置１０２と、集光された光学像をデジタル化して取り込むための撮像手段であるＣＣＤ等のイメージセンサ１０３と、デジタル化された画像などを表示するための前記液晶モニタ５を含む表示部１０５と、取り込んだ画像を一時記憶するためのＲＡＭなどの画像メモリ１０４と、画像を記憶するためのトリガを発生させる前記撮影ボタン４、及び図示省略したモード切替ボタンなどのスイッチ類１０６が接続されている。なお、スイッチ類１０６の操作状態はＣＰＵ１００により定期的にスキャンされる。
【００２４】
さらに、ＣＰＵ１００には、画像を記録するためのメモリカード１０９のとインタフェースを行う外部記憶ＩＯ部１０８と、イメージセンサ１０３で取り込んだ画像やメモリカード１０９に記録されている画像などをＰＣに転送するためのＰＣインタフェースブロック１０７と、ＣＰＵ１００で実行するためのプログラムを記憶するためのＲＯＭなどのプログラムコード記憶部１０１と、撮像された画像の画像圧縮データの作成や歪み補正などの画像処理を行うための画像処理部１１０とがそれぞれ接続されている。なお、本実施の形態においてはメモリカード１０９が本発明の画像記録手段であり、画像処理部１１０が本発明の輪郭抽出手段、補正手段である。
【００２５】
そして、前記プログラムコード記憶部１０１には、ＣＰＵ１００にシステムの全体の制御を行わせるための各種プログラムが記憶されている。特に後述するビジネスモードでの撮影時に、ＣＰＵ１００を本発明の抽出制御手段、合成手段、表示制御手段として機能させるためのプログラムが記憶されている。
【００２６】
次に、以上の構成からなるデジタルカメラ１の本発明に係る動作について説明する。図３は、デジタルカメラ１において、記録モードの下位モードであるビジネスモードが設定されているときの動作示すフローチャートである。なお、ビジネスモードは、紙面文書や名刺などの書類や、白板などを撮影した画像から必要な部分を切り出し、その歪みを補正して保存することを目的として予め設けられている動作モードである。
【００２７】
デジタルカメラ１、例えば電源のオン操作や、再生モードへの切り替え操作に伴い動作を開始し、図３に示したように、まずスルー制御を開始する（ステップＳ１０）。すなわちイメージセンサ１０３の駆動をスルーモードに設定することにより、イメージセンサ１０３に集光された光学像からスルー用の解像度の低いデジタル画像（以下、スルー画像という。）を作成し、それを画像メモリ１０４に定期的（標準は秒３０枚）に格納する一方、画像メモリ１０４に一時的に記憶したスルー画像を表示部１０５に送り表示させる。そして、撮影ボタン３の半押しがあるまで（ステップＳ１１でＮＯ）、上記の処理によりスルー画像を定期的に更新する撮影待機状態を維持する。
【００２８】
その間に、ユーザがスルー画像を確認して、ユーザが撮影したい画像が表示された時点で撮像ボタン４を半押し、ＣＰＵ１００がそれを検出されると（ステップＳ１１でＹＥＳ）、ＣＰＵ１００が画像メモリ１０４へのスルー画像の送出を一時停止させる一方、画像処理部１１０に、そのときのスルー画像からから輪郭を検出させる（ステップＳ１２）。係る輪郭検出では、例えばスルー画像に対して直線認識を行い、認識した複数の直線に沿って区画される複数の矩形領域を検出し、その中で最も面積の大きな矩形領域の輪郭線を取得する等の所定の抽出基準に基づき輪郭を検出する。
【００２９】
引き続き、ＣＰＵ１００は、輪郭検出の対象となったスルー画像を画像メモリ１０４内の所定領域にコピーして一時的に待避させ、画像メモリ１０４へのスルー画像の送出を再開するとともに、図４に示したように、画像処理部１１０で検出された輪郭線Ａの画像（背景が透明）２０１を、輪郭検出時のスルー画像２０２共に新たな（現在の）スルー画像２０３に重ね合わせて合成する（ステップＳ１３）。また、このとき輪郭検出時のスルー画像２０２に対しては、所定の割合の画素を透明化するとともに、残りの画素の輝度を低下させる等の所定の方法による半透明処理を施す。しかる後、合成した合成画像２０４（図５参照）を表示部１０５に送り表示させる（ステップＳ１４）。
【００３０】
以後、撮像ボタン４が半押しされている間は（ステップＳ１５，Ｓ１６が共にＮＯ）、ステップＳ１３，Ｓ１４の処理を繰り返することにより、イメージセンサ１０３によって撮像された現在のスルー画像２０３の部分のみが変化する合成画像２０４を定期的に表示させる。なお、その間に、撮像ボタン４の半押しが中止されたときには（ステップＳ１５ＹＥＳ）、ステップＳ１１戻り通常のスルー画像の表示及び更新を行う。
【００３１】
そして、図５に示したように合成画像２０４を表示している間、ユーザは、対象の輪郭が正しく表示されていることを表示中の輪郭線Ａによって確認し、輪郭検出した半透明の画像と現在のスルー画像が合うように撮影範囲を調整し、撮影ボタン３を全押しすこととなる。一方、ＣＰＵ１００は、撮影ボタン３が全押しされたことを検出したら（ステップＳ１６でＹＥＳ）、イメージセンサ１０３に対して、スルー画像ではなく、解像度の高い画像を読み込むように指令を行い（ステップＳ１７）、この高解像度の画像を前述したスルー画像とは違うアドレス上の画像メモリ１０４内の所定領域に送り出す。ＣＰＵ１００は画像転送が終了したことを確認したら（ステップＳ１８でＹＥＳ）、この撮影画像（高解像度画像）から、低解像度のプレビュー画像を作成し、それを画像メモリ１０４内のプレビュー画像用のアドレス上に書き込み（ステップＳ１９）、これにより撮影された画像を表示部１０５に所定時間だけフリーズ表示させる。
【００３２】
引き続きＣＰＵ１００は、画像処理部１１０を用いてＪＰＥＧなどの圧縮データを作成し（ステップＳ２０）、その撮影画像圧縮データを、外部記憶ＩＯ部１０８を経由してメモリカード１０９に保存する（ステップＳ２１）。次に、再び画像処理部１１０にて、撮影画像から正面画像を作るための斜影パラメータの抽出を行い（ステップＳ２２）、斜影パラメータが抽出できたら（ステップＳ２３でＹＥＳ）、さらに画像処理装置にて、その斜影パラメータを用いて斜影補正画像を作成させ、作成後の画像も画像処理装置にて圧縮補正画像データを作成し、作成した斜影補正画像をメモリカード１９に保存する（ステップＳ２４〜Ｓ２６）。なお、前述したステップＳ２２において何らかの理由で斜影パラメータが抽出できなかったときには（ステップＳ２３でＮＯ）、その旨を知らせる警告処理、例えば補正不能を示すメッセージ表示を行う。
【００３３】
その後、ＣＰＵ１００は一連の撮影処理を終了し、再び次のモード処理を行うことになるが、ユーザがキー操作などを行わない間、デジタルカメラ１は再び上述した動作を繰り返す。
【００３４】
以上のように本実施の形態のデジタルカメラ１においては、ビジネスモードで被写体を撮影するとき、撮影ボタン３の半押し段階で、その時点のスルー画像を用いて輪郭検出を行い、検出結果である輪郭線Ａを現在のスルー画像２０３に合成して表示することにより、撮影者に、意図する領域の切り出し及び保存が可能か否かを、撮影を行う以前の段階で知らせることができる。したがって、意図する領域の切り出しができない場合における無駄な撮影操作や、撮り直しのための無駄な撮影操作待ちがなく、良好な使い勝手を確保することができる。
【００３５】
また、輪郭線Ａの表示に際し、輪郭検出の対象となったスルー画像を半透明として現在のスルー画像に重ねて表示するため、撮影者は、輪郭検出したときの画像と現在撮影できる画像の両方を同時に確認することができる。したがって、前述したように撮影者は、輪郭検出したときの画像に現在の画像を合わせることで意図した画像を容易に撮影することができ、それによっても良好な使い勝手を確保することができる。なお、輪郭検出の対象となったスルー画像は必ずしも表示させなくともよく、また、それを表示させるか否かをユーザが必要に応じて設定できるようにしてもよい。
【００３６】
なお、本実施の形態においては、撮影ボタン３の半押しに応じて輪郭線Ａ等を表示させるものを示したが、例えば撮影待機状態で輪郭線Ａ等を表示させるための専用の操作ボタンを設けたり、或いは撮影ボタン３以外の既存の操作ボタンに、同様の機能を割り当てるようにしてもよい。さらに、例えば撮影ボタン３がハーフシャッター機能を有していない構成にあっては、前述した輪郭検出及び輪郭線Ａ等の表示を一定時間毎に自動的に行うようにしてもよい。また、その場合、輪郭線Ａ等の表示間隔をユーザが事前に設定できるようにした方がよい。
【００３７】
また、本実施の形態のように撮影ボタン３の半押し操作に応答して、或いは上記のように一定時間毎に輪郭検出及び輪郭線Ａの表示を行わせるとき、輪郭検出の対象となったスルー画像の表示（合成）を省いたり、その表示（合成）の有無をユーザに選択させるようにしてもよい。すなわち輪郭検出の対象となったスルー画像の表示（合成）を省いたとしても、撮影者に、意図する領域の切り出し及び保存が可能か否かを、撮影を行う以前の段階で知らせることができ、その場合においては、輪郭線Ａをガイドとして用いることにより、撮影者は、意図した画像を容易に撮影することができる。
【００３８】
また、前述したように意図する領域の切り出し及び保存が可能か否かを、撮影を行う以前の段階で撮影者に知らせることができ、撮り直しの必要が生じる心配がないことから、例えば記録モードの下位に、前述したビジネスモードとは別に、撮影ボタン３の半押しに応じて前述した輪郭線Ａ等の表示のみを行わせる動作モードを設け、かつ再生モードの下位に、既に保存してある記録画像から斜影補正画像を作成し保存する動作モードを設けることもできる。その場合には、同一機種間であれば他のデジタルカメラで撮影した画像からであっても斜影補正画像を取得することが可能となる。
【００３９】
また、ここでは本発明を一般的なデジタルカメラに適用した場合について述べたが、これ以外にも本発明は、例えば携帯電話機等の他の機器に内蔵されている他のデジタルカメラ等にも適用することができる。
【図面の簡単な説明】
【００４０】
【図１】本発明に係るデジタルカメラの外観、及びその使用状態の一例を示す図である。
【図２】同デジタルカメラの回路構成を示すブロック図である。
【図３】ビジネスモードが設定されているときのＣＰＵによる撮影処理を示すフローチャートである。
【図４】撮影ボタンが半押し状態にある間に表示される合成画像の説明図である。
【図５】同合成画像の例を示す図である。
【符号の説明】
【００４１】
１    デジタルカメラ
２    カメラ本体
３    撮影レンズ部
４    撮影ボタン
５    液晶モニタ
５１    白板
１００    ＣＰＵ
１０１    プログラムコード記憶装置
１０２    光学レンズ装置
１０３    イメージセンサ
１０４    画像メモリ
１０５    表示部
１０６    スイッチ類
１０７    ＰＣインタフェースブロック
１０８    外部記憶ＩＯ部
１０９    メモリカード
１１０    画像処理部
２０２    （輪郭検出時の）スルー画像
２０３    （現在の）スルー画像
２０４    合成画像
Ａ    輪郭線
【図１】
2006237757.tif 000003
【図２】
2006237757.tif 000004
【図３】
2006237757.tif 000005
【図４】
2006237757.tif 000006
【図５】
2006237757.tif 000007